(57)【要約】【課題】  バックアップ材を目地の均一な深さに押し込むことができるバックアップ材施工具を提供する。【解決手段】バックアップ材施工具は、屋外側の端縁部に面取り部がそれぞれ形成された互いに隣接する外壁材の間に形成される目地にバックアップ材を押し込むバックアップ材施工具であって、作業者が把持する把持部と、前記目地を挟んで両側の前記面取り部にそれぞれ当接する２つの接触面を有し、前記バックアップ材を押し込む方向に向かって先細る当接部と、前記当接部から前記押し込む方向に突出し、前記目地の幅以下の厚さに形成され、バックアップ材を目地奥に押し込む押圧部と、を備え、前記押圧部の前記当接部からの突出長さは、前記面取り部から予め設計された前記バックアップ材の適正な深さ位置までの屋内外方向の長さと略等しい。【選択図】図４
2017020162.tif 000002
【特許請求の範囲】
【請求項１】
屋外側の端縁部に面取り部がそれぞれ形成された互いに隣接する外壁材の間に形成される目地にバックアップ材を押し込むバックアップ材施工具であって、
作業者が把持する把持部と、
前記目地を挟んで両側の前記面取り部にそれぞれ当接する２つの接触面を有し、前記バックアップ材を押し込む方向に向かって先細る当接部と、
前記当接部から前記押し込む方向に突出し、前記目地の幅以下の厚さに形成され、前記バックアップ材を目地奥に押し込む押圧部と、を備え、
前記押圧部の前記当接部からの突出長さは、前記面取り部から予め設計された前記バックアップ材の適正な深さ位置までの屋内外方向の長さと略等しいことを特徴とするバックアップ材施工具。
【請求項２】
前記接触面は、前記面取り部に向かって膨出するように湾曲することを特徴とする請求項１に記載のバックアップ材施工具。
【請求項３】
前記押圧部は、外周縁が前記目地に挿入され、回転可能な円盤状に形成されているとともに、
前記当接部は、前記押圧部の軸方向の両側に形成され、当該押圧部とともに回転する２つの略円錐台形状に形成されることを特徴とする請求項１または請求項２に記載のバックアップ材施工具。
【請求項４】
前記押圧部は、その厚さ方向の中央で２つの押圧片に分離されており、一方の押圧片に前記当接部の一方の接触面が設けられ、他方の押圧片に前記当接部の他方の接触面が設けられるものであり、
前記２つの押圧片は、前記把持部に対して、押し込み方向に所定範囲で移動可能であり、前記２つの押圧片をそれぞれ押し込み方向に付勢する付勢部を備えることを特徴とする請求項１から請求項３のいずれかに記載のバックアップ材施工具。
【発明の詳細な説明】
【技術分野】
【０００１】
本発明は、外壁目地にバックアップ材を均一に押し込むバックアップ材施工具に関する。
【背景技術】
【０００２】
互いに隣接する外壁材の間の目地には、防水のためにシーリング材が充填される。目地に湿式のシーリング材を充填する際には、目地に沿って当該目地の奥に長尺のバックアップ材を挿入して、シーリング材の下地としている。従来、このようなバックアップ材を目地に挿入する作業は、ヘラ状の工具で目地内に押し込んでいた。
【０００３】
しかし、単にヘラ状の工具で目地内に押し込む場合、バックアップ材を目地の適切な深さ位置に均一に押し込むことは困難であった。そこで、バックアップ材を均一な深さに押し込むために、種々の提案がなされている。例えば、特許文献１においては、バックアップ材挿入治具に一対のストッパー板が設けられており、外壁の屋外側の面にこのストッパー板が当接し、それ以上、治具を挿入することができなくなることで、バックアップ材を目地の均一な深さに押し込んでいる。また、特許文献２には、ガスケットを目地に挿入する治具であって、両側にローラーを設けており、このローラーが外壁の屋外側の面を転動することで、バックアップ材を目地の均一な深さに押し込む治具が提案されている。
【先行技術文献】
【特許文献】
【０００４】
【特許文献１】特開平１１−３３６３１３号公報
【特許文献２】特開平１１−２０２８号公報
【発明の概要】
【発明が解決しようとする課題】
【０００５】
しかし、上述の特許文献１及び特許文献２に記載のような治具は、外壁の屋外側の面に治具の一部を当接させることにより、外壁の屋外側の面を基準として目地の均一な深さにバックアップ材を押し込むものであるので、外壁の屋外側の面に立体的な装飾がなされている場合には、均一に押し込むことができない。そして、バックアップ材が目地の均一な深さに押し込まれないと、シーリング材の厚さにムラができ、防水性能を十分に発揮することができない。
【０００６】
そこで本発明は、バックアップ材を目地の均一な深さに押し込むことができるバックアップ材施工具を提供することを目的とする。
【課題を解決するための手段】
【０００７】
本発明のバックアップ材施工具は、屋外側の端縁部に面取り部がそれぞれ形成された互いに隣接する外壁材の間に形成される目地にバックアップ材を押し込むバックアップ材施工具であって、作業者が把持する把持部と、前記目地を挟んで両側の前記面取り部にそれぞれ当接する２つの接触面を有し、前記バックアップ材を押し込む方向に向かって先細る当接部と、前記当接部から前記押し込む方向に突出し、前記目地の幅以下の厚さに形成され、バックアップ材を目地奥に押し込む押圧部と、を備え、前記押圧部の前記当接部からの突出長さは、前記面取り部から予め設計された前記バックアップ材の適正な深さ位置までの屋内外方向の長さと略等しいことを特徴としている。
【０００８】
好ましくは、本発明のバックアップ材施工具は、前記接触面は、前記面取り部に向かって膨出するように湾曲することを特徴としている。
【０００９】
より好ましくは、本発明のバックアップ材施工具は、前記押圧部は、外周縁が前記目地に挿入され、回転可能な円盤状に形成されているとともに、前記当接部は、前記押圧部の軸方向の両側に形成され、当該押圧部とともに回転する２つの略円錐台形状に形成されることを特徴としている。
【００１０】
さらに好ましくは、本発明のバックアップ材施工具は、前記押圧部は、その厚さ方向の中央で２つの押圧片に分離されており、一方の押圧片に前記当接部の一方の接触面が設けられ、他方の押圧片に前記当接部の他方の接触面が設けられるものであり、前記２つの押圧片は、前記把持部に対して、押し込み方向に所定範囲で移動可能であり、前記２つの押圧片をそれぞれ押し込み方向に付勢する付勢部を備えることを特徴としている。
【発明の効果】
【００１１】
本発明のバックアップ材施工具によると、屋外側の端縁部に面取り部が形成された外壁材の間に形成される目地にバックアップ材を押し込む際に、当接部の接触面が外壁材の面取り部に当接することで、押圧部が目地内に挿入される深さを均一にすることができ、押圧部がバックアップ材を押し込む深さを均一にすることができる。そして、押圧部の当接部からの突出長さは、面取り部から適正な深さ位置に配置した場合のバックアップ材までの屋内外方向の長さと略等しいので、押圧部がバックアップ材を押し込むことにより、バックアップ材を目地の適正な深さ位置に均一に押し込むことができる。このように外壁材の面取り部に接触面を当接させることで、面取り部を基点としてバックアップ材を押し込む深さを規定することができる。面取り部は、外壁材の屋外側の面のように立体的な装飾が施されていないので、バックアップ材の深さ位置を常に均一に配置することができ、バックアップ材の屋外側に充填するシーリング材の厚さを一定に施工することができ、外壁目地の適正な防水性能を保つことができる。
【００１２】
好ましい形態のバックアップ材施工具によると、接触面は、面取り部に向かって膨出するように湾曲しているので、面取り部に接触面全体で接触するのではなく、一部のみが点又は線で接触するので、外壁材の製造工程や外壁の施工上の誤差などで、面取り部の若干の角度違いや隣接する外壁材間に僅かな不陸があるような場合でも、ガタツクことなく両側の接触面を目地の両側の面取り部に確実に接触させることができ、スムーズな施工が可能であるとともに、このような場合にもバックアップ材の深さ位置を均一にすることができる。
【００１３】
より好ましい形態のバックアップ材施工具によると、押圧部は、回転可能な円形平板状であり、当接部は、押圧部の軸方向の両側に形成され押圧部とともに回転する２つの略円錐台形状に形成されているので、当接部の接触面、すなわち円錐台形状における側面を面取り部に当接させて転がすことで、押圧部の外周縁が目地内で当該目地に沿って、転動することになる。そして、この押圧部の転動に従って、バックアップ材が目地内に押し込まれる。このように、接触面が面取り部に沿って転動し、これに伴って押圧部が目地に沿って外周縁を目地に挿入しつつ転動するので、常に均一な深さ位置にバックアップ材を挿入することができ、また、バックアップ材をよりスムーズに目地内に押し込むことができる。
【００１４】
さらに好ましい形態のバックアップ材施工具によると、押圧部が、その厚さ方向の中央で２つの押圧片に分離されており、一方の押圧片に当接部の一方の接触面が設けられ、他方の押圧片に当接部の他方の接触面が設けられている。そして、２つの押圧片は、把持部に対して、押し込み方向に所定範囲で移動可能であり、２つの押圧片をそれぞれ押し込み方向に付勢する付勢部を備えている。このように２つの押圧片が押し込み方向に所定範囲で移動可能に構成されているので、隣接する外壁材の間に不陸があった場合でも、一方の接触面が一方の外壁材の面取り部に当接しつつ、他方の接触面が他方の外壁材の面取り部に当接することができる。そして、外壁材のうち、より屋内側に配置されている外壁材の面取り部に当接した接触面が設けられている側の押圧部が、目地のより奥の位置にバックアップ材を押し込むので、不陸がある場合には、バックアップ材を屋内側に配置された外壁材の面取り部から適切な距離をとった目地奥に押し込むことができるので、シーリング材を適切な厚さで施工することができる。
【図面の簡単な説明】
【００１５】
【図１】第一の実施形態のバックアップ材施工具の外観構成を示す正面図。
【図２】第一の実施形態のバックアップ材施工具の外観構成を示す側面図。
【図３】第一の実施形態のバックアップ材施工具の当接部及び押圧部の構成を説明する一部拡大断面図。
【図４】第一の実施形態のバックアップ材施工具を用いてバックアップ材を目地に押し込む作業を説明する一部拡大断面図。
【図５】第一の実施形態のバックアップ材を目地に押し込む作業を説明する斜視図。
【図６】第一の実施形態のバックアップ材施工具を用いてバックアップ材を押し込んだ目地にシーリング材を充填した状態を示す断面図。
【図７】（Ａ）は、目地内にバックアップ材施工具の押圧部を挿入する前の状態を示す図、（Ｂ）は、目地幅が最小の場合にバックアップ材施工具の押圧部を挿入した状態を示す図、（Ｃ）は、目地幅が最大の場合にバックアップ材施工具の押圧部を挿入した状態を示す図。
【図８】第二の実施形態のバックアップ材施工具の外観構成を示す正面図。
【図９】第二の実施形態のバックアップ材施工具の当接部、押圧部、及び支持腕の構成を示す一部拡大断面図。
【図１０】第二の実施形態のバックアップ材施工具を用いてバックアップ材を目地に押し込む作業を説明する一部拡大断面図。
【図１１】第二の実施形態のバックアップ材施工具を用いてバックアップ材を押し込んだ目地にシーリング材を充填した状態を示す断面図。
【発明を実施するための形態】
【００１６】
〔第一の実施形態〕
以下、本発明に係るバックアップ材施工具１ａの第一の実施形態について各図を参照しつつ説明する。本実施形態のバックアップ材施工具１ａは、外壁材２の間の目地３にバックアップ材４を押し込むバックアップ材施工具１ａである。外壁材２は、屋外側の面に立体的な装飾を施したサイディング材であり、屋外側の左右の端縁部には、角が取られた面取り部２１が形成されている。なお、本実施形態では、目地３は縦目地であり、面取り部２１は縦目地の屋外側の縁に形成されているが、これに限定されず、面取り部２１が外壁材２の屋外側の上下端縁部に設けられている場合は、横目地にバックアップ材４を挿入する際にも本実施形態のバックアップ材施工具１ａを用いることができる。
【００１７】
まず、図１から図３を参照しつつ、バックアップ材施工具１ａの構成について説明する。バックアップ材施工具１ａは、図１及び図２に示すように、作業者が把持する把持部５と、目地３を挟んで両側の面取り部２１にそれぞれ当接する２つの接触面６１を有し、バックアップ材４を押し込む方向に向かって先細る当接部６ａと、当接部６ａからバックアップ材４を押し込む方向に突出し、目地３の幅以下の厚さに形成され、バックアップ材４を目地３奥に押し込む押圧部７ａと、を備えている。
【００１８】
把持部５は、本実施形態においては円筒形の金属である。把持部５の形状は、円筒形に限定されるものではなく、作業者が握りやすい形状であればよく、また、把持部５の材質は金属に限定されるものではなく、例えば樹脂製や木製であってもよく、また、表面に滑り止めのグリップを設けたものであってもよい。把持部５の先端には、互いに平行に空間を空けて２本の支持腕８ａが設けられている。支持腕８ａは、その先端側で押圧部７ａ及び当接部６ａを回転可能に支持する支持軸９０を支持している。
【００１９】
当接部６ａ及び押圧部７ａは、図１から図３に示すように、樹脂により一体形成されている。当接部６ａは、底面が向かい合う２つの略円錐台形状に形成されており、その間に押圧部７ａが形成されている。そして、円錐台形状の側面が外壁の面取り部２１に当接する接触面６１を形成している。図３に示すように断面視した場合に、当接部６ａは、少なくともバックアップ材４を押し込む方向に向かって先細るように形成されている。接触面６１は、目地３内に押圧部７ａを挿入するように配置した場合に、面取り部２１に向かって膨出するように僅かに湾曲している。
【００２０】
このように接触面６１が、面取り部２１に向かって膨出するように湾曲することで、面取り部２１に接触面６１全体で接触するのではなく、接触面６１の一部のみが点又は線で接触するので、外壁材２の製造工程や外壁の施工上の誤差などで、面取り部２１の若干の角度違いや隣接する外壁材２間に僅かな不陸があるような場合でも、ガタツクことなく両側の接触面６１を目地３の両側の面取り部２１に確実に接触させることができ、スムーズな施工が可能であるとともに、このような場合にもバックアップ材４をの深さ位置を均一にすることができる。なお、接触面６１の膨出は僅かであり、図１、図３等においてはほぼ平坦に見えるが、図４で一点鎖線で囲った拡大図のように僅かに膨出している。
【００２１】
押圧部７ａは、当接部６ａの径方向の外周側に突出する円形平板状に形成されている。押圧部７ａの当接部６ａからの突出長さβは、バックアップ材４が目地３の適正な深さに押し込まれた場合における面取り部２１からバックアップ材４までの屋内外方向の長さαに略等しい。なお、バックアップ材４の適正な深さ位置とは、目地３内に充填するシーリング材１０の適正な厚さを確保するために必要なバックアップ材４の屋内外方向の位置をいう。すなわち、シーリング材１０の経年劣化や地震など振動を考慮しても、想定される長期間に亘ってシーリング材１０の防水性能が失われないために必要なシーリング材１０の厚さを予め適正厚として定めておき、目地３の屋外側に設けられた面取り部２１から屋内方向に当該適正厚以上離れた位置がバックアップ材４の適正な深さ位置となる。
【００２２】
当接部６ａ及び押圧部７ａの円心には、図３に示すように、貫通孔１１が設けられており、この貫通孔１１に支持軸９０が挿通することで、押圧部７ａ及び当接部６ａは回転可能となっている。なお、本実施形態においては、当接部６ａ及び押圧部７ａは支持軸９０を中心に回転する構成であるが、本発明の実施形態はこれに限定されるものではなく、当接部６ａは、目地３両側の面取り部２１に当接し、バックアップ材４を押し込む方向に向かって先細る形状であればその他の構成は如何なる構成であってもよく、また、押圧部７ａは、当接部６ａから突出し目地３内に挿入可能な厚さに形成されていればよく、回転する構成に限定されるものではない。
【００２３】
次に、図４から図６を参照しつつ、バックアップ材４を目地３奥に押し込む作業について説明する。まず、作業者は、長尺なバックアップ材４を目地３の長さ方向に沿うように目地３の屋外側に保持する。そして、次にバックアップ材施工具１ａの把持部５を把持して、バックアップ材４の一端部にバックアップ材施工具１ａの押圧部７ａを当接させて、目地３の屋内方向にバックアップ材４を押し込む。このとき、バックアップ材施工具１ａの当接部６ａの接触面６１が外壁材２の面取り部２１に接触するまで、バックアップ材４を押し込む。バックアップ材施工具１ａの当接部６ａから押圧部７ａの先端までの突出長さβは、目地３内にバックアップ材４が目地３の適正な深さに押し込まれた場合における面取り部２１からバックアップ材４までの屋内外方向の長さαに略等しいので、バックアップ材４は目地３の適正な深さ位置にまで押し込まれる。
【００２４】
そして、バックアップ材施工具１ａを目地３に沿って移動させることにより、面取り部２１に当接している当接部６ａを転動させつつ、押圧部７ａを転動させる。図５に示すように、押圧部７ａの転動によって、バックアップ材４はその一端部から他端部に向かって目地３に押し込まれる。バックアップ材施工具１ａの当接部６ａはその接触面６１が面取り部２１に当接したまま転動するので、押圧部７ａは当接部６ａから突出する部分が目地３内に挿入されることになる。したがって、バックアップ材４は、押圧部７ａの当接部６ａからの突出長さβの分、目地３の屋内方向へ目地３奥に押し込まれる。前述のとおり、当接部６ａから押圧部７ａの先端までの突出長さβは、バックアップ材４が目地３の適正な深さ位置までの長さαと略等しいので、バックアップ材４は、常に均一に目地３の適正な深さ位置にまで押し込まれる。
【００２５】
このように、本実施形態のバックアップ材施工具１ａは、当接部６ａの接触面６１が外壁材２の面取り部２１に当接することで、押圧部７ａが目地３内に挿入される深さを均一にすることができ、押圧部７ａがバックアップ材４を適正な深さ位置に均一に押し込むことができる。したがって、屋外側の面に例えばタイル模様等の立体的な装飾が施されている外壁材２であっても、面取り部２１には、立体的な装飾が施されていないので、バックアップ材４の深さ位置を常に均一に配置することができる。
【００２６】
そして、バックアップ材４を目地３に施工すると、図６に示すように、次に、湿式のシーリング材１０を目地３内に充填する。前述の通り、バックアップ材４はバックアップ材施工具１ａを用いて目地３に押し込むことで、バックアップ材４の適正な深さ位置まで押し込まれている。したがって、目地３内におけるバックアップ材４の屋外側に充填されるシーリング材１０は、その厚さを適正な厚さに、且つ、一定に充填することができ、外壁目地３の適正な防水性能を保つことができる。
【００２７】
特に、本実施形態のバックアップ材施工具１ａは、押圧部７ａ及び当接部６ａが、支持軸９０に回転自在に支持されており、当接部６ａの接触面６１を面取り部２１に当接させて転がすことで、押圧部７ａの外周縁が目地３内で当該目地３に沿って、転動し、バックアップ材４が目地３内に押し込まれるので、常に均一な深さ位置にバックアップ材４を挿入することができ、また、バックアップ材４をよりスムーズに目地３内に押し込むことができる。
【００２８】
なお、目地３の幅は、施工品質に一定の許容範囲が設けられている。以下、施工品質として目地３の幅が１１ｍｍ±２ｍｍの範囲で許容されている場合を例示して説明する。図７（Ａ）は目地３にバックアップ材施工具１ａの押圧部７ａを挿入する直前の状態を示し、図７（Ｂ）が、目地幅Ｗが最小値Ｗ１、すなわち９ｍｍの目地３に押圧部７ａを挿入した場合を示し、図７（Ｃ）が、目地幅Ｗが最大値Ｗ２、すなわち１３ｍｍの目地３に押圧部７ａを挿入した場合を示している。図７（Ｂ）及び（Ｃ）を比較すればわかるように、目地幅Ｗが長くなればなるほど、押圧部７ａはその先端が、目地３の奥深くに挿入されることになる。すなわち、図７（Ｂ）に示すように、目地幅Ｗが最小値Ｗ１である９ｍｍの場合には、面取り部２１から押圧部７ａの先端までの長さＬ１は最も短くなり、目地幅Ｗが最大値Ｗ２である１３ｍｍの場合には、面取り部２１から押圧部７ａの先端までの長さＬ２は最も長くなる。したがって、目地幅が最小値Ｗ１である９ｍｍの場合に押圧部７ａの目地３への挿入が最も浅くなり、バックアップ材４の目地３内の位置が最も浅くなる。
【００２９】
目地３の両側の２つの面取り部２１の成す角度が例えば６０度である場合、目地幅Ｗが最小値Ｗ１である９ｍｍの場合と目地幅Ｗが最大値Ｗ２である１３ｍｍの場合とを比較すると、バックアップ材４を押し込む深さの差は２×√３となる。したがって、目地幅Ｗが最小値Ｗ１である９ｍｍの場合に、目地幅Ｗが最大値Ｗ２である１３ｍｍの場合に比べて、バックアップ材４を押し込む深さが約３．４６４ｍｍ浅くなる。
【００３０】
バックアップ材施工具１ａは、前述の通り図７（Ａ）に示すように、当接部６ａから押圧部７ａの先端までの突出長さβが、目地３内にバックアップ材４が目地３の適正な深さに押し込まれた場合における面取り部２１からバックアップ材４までの屋内外方向の長さαに略等しい。したがって、目地幅が施工上許容されている最も短かい幅（最小値：Ｗ１）である場合であっても、すなわち、上の例では目地幅Ｗが９ｍｍの場合であっても、少なくともバックアップ材施工具１ａの当接部６ａから押圧部７ａの先端までの突出長さβの分、押圧部７ａが目地３内に挿入されるので、バックアップ材４を目地３の適正な深さ位置にまで押し込むことができる。
【００３１】
そして、目地幅が施工上許容されている最も長い幅（最大値：Ｗ２）である場合、すなわち、上の例では目地幅Ｗが１３ｍｍの場合には、バックアップ材４は目地３の適正な深さ位置よりも３．４６４ｍｍ深く押し込まれることになる。したがって、バックアップ材４を施工したあとに目地３内に充填するシーリング材１０は、目地幅Ｗが施工上の最も短い場合（Ｗ１）においても適正厚以上であり、目地幅が施工上の最も長い場合（Ｗ２）においては、適正厚＋３．４６４ｍｍ以上となるので、シーリング材１０の防水性能を十分に長期間保ち続けることができる。
【００３２】
〔第二の実施形態〕
次に、本発明の第二の実施形態について、図８から図１１を参照しつつ説明する。なお、第一の実施形態と同様の構成については、同一の符号を付して説明を省略する。本実施形態のバックアップ材施工具１ｂは、作業者が把持する把持部５と、目地３を挟んで両側の面取り部２１にそれぞれ当接する２つの接触面６１を有し、バックアップ材４を押し込む方向に向かって先細る当接部６ｂと、当接部６ｂからバックアップ材４を押し込む方向に突出し、目地３の幅以下の厚さに形成され、バックアップ材４を目地３奥に押し込む押圧部７ｂと、を備えている。
【００３３】
押圧部７ｂは、図８及び図９に示すように、その厚さ方向の中央で２つの押圧片７１，７２に分離されており、一方の押圧片７１に当接部６ｂの一方の接触面６１ａが設けられ、他方の押圧片７２に前記当接部６ｂの他方の接触面６１ｂが設けられている。一方の押圧片７１と他方の押圧片７２とは互いに、異なる支持軸９１，９２に回転自在に固定されている。
【００３４】
支持軸９１，９２を支持するために把持部５の先端に設けられた２本の支持腕８ｂは、それぞれ片方の支持軸９１，９２を支持している。支持腕８ｂは、棒状の先端部８１と、先端部８１を抜き差し可能に嵌挿する筒状の基端部８２とを有している。支持腕８ｂは先端部８１を基端部８２から所定範囲で抜き差しすることでその長さを調整可能とされている。基端部８２の内部には、弦巻バネの付勢部８３が設けられており、先端部８１をその先端方向に付勢している。これによって、先端部８１の先端側に固定されている支持軸９１，９２は、先端部８１を介して、先端部８１の先端方向に付勢されることとなり、この支持軸９１，９２に回転自在に固定されている押圧片７１，７２もまた、先端部８１の先端方向、すなわち、バックアップ材４を押し込む方向に付勢される。したがって、２つの押圧片７１，７２は、それぞれ把持部５に対して、押し込み方向に所定範囲で移動可能であり、且つ、２つの押圧片７１，７２をそれぞれ押し込み方向に付勢する付勢部８３を備えている。
【００３５】
なお付勢部８３の構成及び押圧片７１，７２を押し込み方向に所定範囲で移動可能にする構成は、上述の構成に限定されるものではなく、２つの押圧片７１，７２が互いに独立して移動可能な構成であれば、どのような構成であってもよい。
【００３６】
第二の実施形態のバックアップ材施工具１ｂは、以上のように構成されることで、図１０に示すように、隣接する外壁材２の間に不陸がある場合に、一方の接触面６１ａと他方の接触面６１ｂとのバックアップ材４を押し込む方向の位置をずらすことができるので、一方の接触面６１ａが一方の外壁材２の面取り部２１に当接しつつ、他方の接触面６１ｂが他方の外壁材２の面取り部２１に当接することができる。このとき、それぞれの接触面６１ａ，６１ｂは、付勢部８３によりそれぞれ押し込む方向に付勢された状態で面取り部２１に当接しているので、面取り部２１から離れることはない。
【００３７】
そして、外壁材２のうち、より屋内側に配置されている外壁材２の面取り部２１に当接した一方の接触面６１ａが設けられている側の押圧片７１が、バックアップ材４を目地３のより奥の位置に押し込むことになる。したがって、不陸がある場合には、バックアップ材４をより屋内側に位置している外壁材２の面取り部２１から適切な距離をとった目地３奥に押し込むことができる。したがって、図１１に示すように、目地３内におけるバックアップ材４の屋外側に充填するシーリング材１０を適切な厚さで施工することができる。
【００３８】
なお、本発明の実施の形態は上述の形態に限ることなく、本発明の思想の範囲を逸脱しない範囲で適宜変更することができることは云うまでもない。
【産業上の利用可能性】
【００３９】
本発明に係るバックアップ材施工具１ａ，１ｂは、例えば住宅の外壁材２の間の目地３にバックアップ材４を押し込むバックアップ材施工具１ａ，１ｂとして、好適に用いることができる。
【符号の説明】
【００４０】
１ａ，１ｂ  バックアップ材施工具
２          外壁材
３          目地
４          バックアップ材
５          把持部
６ａ，６ｂ  当接部
７ａ，７ｂ  押圧部
１０        シーリング材
【図１】
2017020162.tif 000003
【図２】
2017020162.tif 000004
【図３】
2017020162.tif 000005
【図４】
2017020162.tif 000006
【図５】
2017020162.tif 000007
【図６】
2017020162.tif 000008
【図７】
2017020162.tif 000009
【図８】
2017020162.tif 000010
【図９】
2017020162.tif 000011
【図１０】
2017020162.tif 000012
【図１１】
2017020162.tif 000013
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
屋外側の端縁部に面取り部がそれぞれ形成された互いに隣接する外壁材の間に形成される目地にバックアップ材を押し込むバックアップ材施工具であって、
作業者が把持する把持部と、
前記目地を挟んで両側の前記面取り部にそれぞれ当接する２つの接触面を有し、前記バックアップ材を押し込む方向に向かって先細る当接部と、
前記当接部から前記押し込む方向に突出し、前記目地の幅以下の厚さに形成され、前記バックアップ材を目地奥に押し込む押圧部と、を備え、
前記押圧部の前記当接部からの突出長さは、前記面取り部から予め設計された前記バックアップ材の適正な深さ位置までの屋内外方向の長さと略等しい長さであり、
前記接触面は、前記面取り部に向かって膨出するように湾曲することを特徴とするバックアップ材施工具。
【請求項２】
前記押圧部は、外周縁が前記目地に挿入され、回転可能な円盤状に形成されているとともに、
前記当接部は、前記押圧部の軸方向の両側に形成され、当該押圧部とともに回転する２つの略円錐台形状に形成されることを特徴とする請求項１に記載のバックアップ材施工具。
【請求項３】
前記押圧部は、その厚さ方向の中央で２つの押圧片に分離されており、一方の押圧片に前記当接部の一方の接触面が設けられ、他方の押圧片に前記当接部の他方の接触面が設けられるものであり、
前記２つの押圧片は、前記把持部に対して、押し込み方向に所定範囲で移動可能であり、前記２つの押圧片をそれぞれ押し込み方向に付勢する付勢部を備えることを特徴とする請求項１又は請求項２に記載のバックアップ材施工具。
【手続補正２】
【補正対象書類名】明細書
【補正対象項目名】０００７
【補正方法】変更
【補正の内容】
【０００７】
本発明のバックアップ材施工具は、屋外側の端縁部に面取り部がそれぞれ形成された互いに隣接する外壁材の間に形成される目地にバックアップ材を押し込むバックアップ材施工具であって、作業者が把持する把持部と、前記目地を挟んで両側の前記面取り部にそれぞれ当接する２つの接触面を有し、前記バックアップ材を押し込む方向に向かって先細る当接部と、前記当接部から前記押し込む方向に突出し、前記目地の幅以下の厚さに形成され、前記バックアップ材を目地奥に押し込む押圧部と、を備え、前記押圧部の前記当接部からの突出長さは、前記面取り部から予め設計された前記バックアップ材の適正な深さ位置までの屋内外方向の長さと略等しい長さであり、前記接触面は、前記面取り部に向かって膨出するように湾曲することを特徴としている。
【手続補正３】
【補正対象書類名】明細書
【補正対象項目名】０００８
【補正方法】削除
【補正の内容】
【手続補正４】
【補正対象書類名】明細書
【補正対象項目名】００１２
【補正方法】変更
【補正の内容】
【００１２】
さらにバックアップ材施工具によると、接触面は、面取り部に向かって膨出するように湾曲しているので、面取り部に接触面全体で接触するのではなく、一部のみが点又は線で接触するので、外壁材の製造工程や外壁の施工上の誤差などで、面取り部の若干の角度違いや隣接する外壁材間に僅かな不陸があるような場合でも、ガタツクことなく両側の接触面を目地の両側の面取り部に確実に接触させることができ、スムーズな施工が可能であるとともに、このような場合にもバックアップ材の深さ位置を均一にすることができる。